(57)【要約】【課題】種々のデバイスから入力される画像データを高品質で印刷する。【解決手段】画像データの入力デバイスの種別を判定し（Ｓ１００）、スキャナのときにはｓＲＧＢをプリンタ用色空間に変換する処理と黒文字強調処理を行ない（Ｓ１１０，Ｓ１２０）、アナログテレビのときにはＮＴＳＣをプリンタ用色空間に変換する処理とインタレース／プログレッシブ変換処理を行なう（Ｓ１３０，Ｓ１４０）。また、デジタルテレビなどのときには、画像ファイルの画像処理制御データで指定された色空間をプリンタ用色空間に変換する処理と指定された画像処理を行なったり（Ｓ１６０，Ｓ１７０）、ｓＲＧＢをプリンタ用色空間に変換する処理を行なったりする（Ｓ１８０）。この結果、種々のデバイスから入力される画像データを高品質で印刷すると共に入力された画像データに対してより適切な画像処理を施して印刷することができる。【選択図】        図３
2004306323.tif 000002
【特許請求の範囲】
【請求項１】
画像を印刷する印刷装置であって、
所定の通信インタフェースを介して接続された複数種のデバイスから入力される画像データを受け付け可能な画像データ受付手段と、
該受け付けた画像データの入力デバイスの種別を判定するデバイス種別判定手段と、
該判定された入力デバイスの種別に基づいて前記受け付けた画像データに対して所定の画像処理を行なう画像処理手段と、
該画像処理が行なわれた画像データに基づいて画像を印刷する印刷実行手段と、
を備える印刷装置。
【請求項２】
前記デバイス種別判定手段は、前記受け付けた画像データの入力された通信インタフェースに基づいて該画像データの入力デバイスの種別を判定する手段である請求項１記載の印刷装置。
【請求項３】
前記画像処理手段は、前記判定された入力デバイスの種別に基づいて前記受け付けた画像データの色空間を判定する色空間判定手段を備え、該色空間判定手段により判定された色空間を印刷装置用の色空間に変換する色空間変換処理を該画像データに対して行なう手段である請求項１または２記載の印刷装置。
【請求項４】
前記色空間判定手段は、前記判定された入力デバイスの種別が所定の形式の画像ファイルを画像データの少なくとも一部として入力する画像ファイル入力デバイスであるときには、該所定の形式の画像ファイルに付加された付加情報に基づいて該画像データの色空間を判定する手段である請求項３記載の印刷装置。
【請求項５】
前記画像処理手段は、前記判定された入力デバイスの種別が所定の形式の画像ファイルを画像データの少なくとも一部として入力する画像ファイル入力デバイスであるときには、該所定の形式の画像ファイルに付加された付加情報に基づいて定まる画像処理を該画像データに対して行なう手段である請求項１ないし４いずれか記載の印刷装置。
【請求項６】
前記画像ファイル入力デバイスは、デジタルカメラ，ストレージ，デジタルテレビのうちいずれかである請求項４または５記載の印刷装置。
【請求項７】
前記画像データは、所定のマークアップ言語により記述された文書ファイルと該文書ファイルに関連付けられた前記所定の形式の画像ファイルとにより構成されるデータである請求項４ないし６いずれか記載の印刷装置。
【請求項８】
前記所定のマークアップ言語は、ＳＧＭＬ，ＨＴＭＬ，ＸＨＴＭＬ，ＸＭＬのうちいずれかの言語である請求項７記載の印刷装置。
【請求項９】
請求項１ないし８いずれか記載の印刷装置であって、
前記画像データ受付手段は、ビデオ信号出力装置から所定のアナログビデオ信号が入力されたときには、該入力された所定のアナログビデオ信号をデジタル形式の画像データに変換して受け付ける手段であり、
前記画像処理手段は、前記判定された入力デバイスの種別が前記ビデオ信号出力装置であるときには、インタレース画像をノンインタレース画像に変換するインタレース／プログレッシブ変換処理を前記受け付けた画像データに対して行なう手段である
印刷装置。
【請求項１０】
前記画像処理手段は、前記判定された入力デバイスの種別がスキャナであるときには、黒色の領域を強調する黒色領域強調処理を前記受け付けた画像データに対して行なう手段である請求項１ないし９いずれか記載の印刷装置。
【請求項１１】
請求項１ないし１０いずれか記載の印刷装置として機能するインクジェットプリンタ。
【請求項１２】
画像を印刷する印刷方法であって、
（ａ）所定の通信媒体を介して接続された複数種のデバイスから入力される画像データを受け付け、
（ｂ）該受け付けた画像データの入力デバイスの種別を判定し、
（ｃ）該判定された入力デバイスの種別に基づいて前記受け付けた画像データに対して所定の画像処理を行ない、
（ｄ）該画像処理が行なわれた画像データに基づいて画像を印刷する、
印刷方法。
【発明の詳細な説明】
【０００１】
【発明の属する技術分野】
本発明は、印刷装置および印刷方法に関し、詳しくは、画像を印刷する印刷装置およびこうした印刷方法に関する。
【０００２】
【従来の技術】
従来、この種の印刷装置としては、デジタルカメラやメモリカードなどから直接入力された画像データを印刷するプリンタなどが提案されている（例えば、特許文献１参照）。この種のプリンタでは、入力された画像データに付加された撮影条件などの付加情報に基づいて色や明るさなどを調整する画像処理を施して印刷している。
【０００３】
【特許文献１】
特開２００２−１２５１７５号公報
【０００４】
【発明が解決しようとする課題】
しかしながら、こうしたプリンタでは、画像データに付加された付加情報に基づいて画像処理を行なうものであるから、デジタルカメラなどの画像データを生成する装置により付加情報を付加して画像データを生成する必要が生じてしまう。一方で、スキャナやテレビ，ビデオカメラなど、画像データを生成可能な装置は多種多様であり、必ずしも付加情報を付加して画像データを生成することができるとは限らない。したがって、こうした種々の装置から入力される画像データを高品質で印刷するプリンタの実現が求められている。
【０００５】
本発明の印刷装置および印刷方法は、種々のデバイスから入力される画像データを高品質で印刷することを目的の一つとする。また、本発明の印刷装置および印刷方法は、入力された画像データに対してより適切な画像処理を施して印刷することを目的の一つとする。
【０００６】
【課題を解決するための手段およびその作用・効果】
本発明の印刷装置および印刷方法は、上述の目的の少なくとも一部を達成するために以下の手段を採った。
【０００７】
本発明の印刷装置は、
画像を印刷する印刷装置であって、
所定の通信インタフェースを介して接続された複数種のデバイスから入力される画像データを受け付け可能な画像データ受付手段と、
該受け付けた画像データの入力デバイスの種別を判定するデバイス種別判定手段と、
該判定された入力デバイスの種別に基づいて前記受け付けた画像データに対して所定の画像処理を行なう画像処理手段と、
該画像処理が行なわれた画像データに基づいて画像を印刷する印刷実行手段と、
を備えることを要旨とする。
【０００８】
この本発明の印刷装置では、画像データを受け付けると、受け付けた画像データの入力デバイスの種別を判定すると共にこの入力デバイスの種別に応じて画像処理を行なう。したがって、入力デバイスの種別に応じてより適切な画像処理を画像データに施すことができる。この結果、種々のデバイスから入力される画像データを高品質で印刷することができる。なお「印刷装置」には、インクジェットプリンタなどの種々のプリンタが含まれる。
【０００９】
こうした本発明の印刷装置において、前記デバイス種別判定手段は前記受け付けた画像データが入力された通信インタフェースに基づいて該画像データの入力デバイスの種別を判定する手段であるものとすることもできる。こうすれば、画像データが入力された通信インタフェースに基づいて入力デバイスの種別を判定することができる。この結果、画像データの入力デバイスの種別をより容易に判定することができる。
【００１０】
また、本発明の印刷装置において、前記画像処理手段は前記判定された入力デバイスの種別に基づいて前記受け付けた画像データの色空間を判定する色空間判定手段を備え、該色空間判定手段により判定された色空間を印刷装置用の色空間に変換する色空間変換処理を該画像データに対して行なう手段であるものとすることもできる。こうすれば、入力された画像データの色空間を印刷装置用の色空間に変換して印刷することができる。この態様の本発明の印刷装置において、前記色空間判定手段は、前記判定された入力デバイスの種別が所定の形式の画像ファイルを画像データの少なくとも一部として入力する画像ファイル入力デバイスであるときには、該所定の形式の画像ファイルに付加された付加情報に基づいて該画像データの色空間を判定する手段であるものとすることもできる。こうすれば、画像ファイルの付加情報に基づいて入力された画像データの色空間を判定することができる。なお「画像ファイル入力デバイス」には、デジタルカメラ，ストレージ，デジタルテレビなどが含まれる。
【００１１】
さらに、本発明の印刷装置において、前記画像処理手段は前記判定された入力デバイスの種別が所定の形式の画像ファイルを画像データの少なくとも一部として入力する画像ファイル入力デバイスであるときには、該所定の形式の画像ファイルに付加された付加情報に基づいて定まる画像処理を該画像データに対して行なう手段であるものとすることもできる。こうすれば、画像ファイルの付加情報に応じて定められた画像処理を画像データに対して施すことができる。なお「画像ファイル入力デバイス」には、デジタルカメラ，ストレージ，デジタルテレビなどが含まれる。
【００１２】
こうした本発明の印刷装置において、前記画像データは所定のマークアップ言語により記述された文書ファイルと該文書ファイルに関連付けられた前記所定の形式の画像ファイルとにより構成されるデータであるものとすることもできる。こうすれば、所定のマークアップ言語の文書ファイルを印刷する際に、文書ファイルに関連付けられた画像ファイルの付加情報に応じて定まる画像処理を画像データに対して施すことができる。なお「所定のマークアップ言語」には、ＳＧＭＬ，ＨＴＭＬ，ＸＨＴＭＬ，ＸＭＬなどの言語が含まれる。
【００１３】
また、本発明の印刷装置において、前記画像データ受付手段はビデオ信号出力装置から所定のアナログビデオ信号が入力されたときには該入力された所定のアナログビデオ信号をデジタル形式の画像データに変換して受け付ける手段であり、前記画像処理手段は前記判定された入力デバイスの種別が前記ビデオ信号出力装置であるときにはインタレース画像をノンインタレース画像に変換するインタレース／プログレッシブ変換処理を前記受け付けた画像データに対して行なう手段であるものとすることもできる。こうすれば、ビデオ信号出力装置から入力される画像データに対してより適切な画像処理を施すことができる。
【００１４】
さらに、本発明の印刷装置において、前記画像処理手段は、前記判定された入力デバイスの種別がスキャナであるときには黒色の領域を強調する黒色領域強調処理を前記受け付けた画像データに対して行なう手段であるものとすることもできる。ここで、入力デバイスの種別がスキャナであるときに黒色領域強調処理を行なうのは、一般的なスキャナではＣＣＤセンサの解像度不足などにより読み込んだ画像データのエッジにボケが生じやすく黒色の文字などの画像品質が十分でないと考えられることに基づく。こうすれば、スキャナから入力される画像データに対してより適切な画像処理を施すことができる。
【００１５】
本発明の印刷方法は、
画像を印刷する印刷方法であって、
（ａ）所定の通信媒体を介して接続された複数種のデバイスから入力される画像データを受け付け、
（ｂ）該受け付けた画像データの入力デバイスの種別を判定し、
（ｃ）該判定された入力デバイスの種別に基づいて前記受け付けた画像データに対して所定の画像処理を行ない、
（ｄ）該画像処理が行なわれた画像データに基づいて画像を印刷する、
ことを要旨とする。
【００１６】
この本発明の印刷方法では、画像データを受け付けると、受け付けた画像データの入力デバイスの種別を判定すると共にこの入力デバイスの種別に応じて画像処理を行なう。したがって、入力デバイスの種別に応じてより適切な画像処理を画像データに施すことができる。この結果、種々のデバイスから入力される画像データを高品質で印刷することができる。
【００１７】
【発明の実施の形態】
次に、本発明の実施の形態を実施例を用いて説明する。図１は、本発明の一実施例であるインクジェット方式のプリンタ２０の構成の概略を示す構成図である。実施例のプリンタ２０は、図示するように、スキャナ１０やデジタルテレビ１２，デジタルカメラ１４，メモリカードなどのストレージ１６，アナログテレビ１８などの各種の入力デバイスと接続して画像データの入力を行なう入力部３０と、入力部３０に入力された画像データの印刷を実行する印刷部６０とを備える。
【００１８】
入力部３０は、スキャナ１０やデジタルテレビ１２，デジタルカメラ１４，ストレージ１６，アナログテレビ１８などからの画像データの入力を司る入力インタフェース３２と、アナログテレビ１８などから入力されるアナログビデオ信号をデジタル形式の静止画像データに変換するビデオキャプチャ部３３と、入力インタフェース３２に入力される画像データやビデオキャプチャ部３３により変換された静止画像データの形式に基づいて画像データの出力先を割り振る信号処理部３４とにより構成されている。信号処理部３４は、入力された信号が直ちに印刷可能な印刷用データの場合には印刷部６０のイメージバッファ６５にデータを出力し、ＲＧＢ表色系のデータ（以下、ＲＧＢデータという）の場合には印刷部６０の画像格納領域６２に出力し、主にデジタルテレビ１２から入力されるマークアップ言語（例えば、ＸＨＴＭＬ言語）で記述されたファイル（以下、マークアップ言語ファイルという）の場合には印刷部６０の解析部６１に出力する。また、信号処理部３４は、入力された画像データの入力デバイスの種別に応じて所定の画像処理を施す画像処理部３８を有する。画像処理部３８による画像処理については、後述する。
【００１９】
印刷部６０は、信号処理部３４から出力されるマークアップ言語ファイルを読み込んで解析すると共にＲＧＢデータを生成する解析部６１と、画像格納領域６２に格納されたＲＧＢデータをＣＭＹＫ表色系のデータ（以下、ＣＭＹＫデータという）に変換する色変換部６３と、変換されたＣＭＹＫデータを誤差拡散処理などの画像処理を行なって２値化する２値化部６４と、２値化されたＣＭＹＫデータを図示しない印刷ヘッドを備える印刷実行部６６にバンド単位で出力するために一時的にデータを蓄えるイメージバッファ６５と、イメージバッファ６５に蓄えられたデータに基づいて印刷を実行する印刷実行部６６とを備える。
【００２０】
図２は、解析部６１に入力されるマークアップ言語ファイルの内容の一例を示す説明図である。この例では、図示するように、マークアップ言語としてＸＨＴＭＬ言語を用いて記述されており、主に、タイトルや文書の見栄えに関する情報などを記述するヘッダ部と、印刷する文書の内容（例えば、組み込む画像ファイルの指定やテキストなど）を記述するボディ部とから構成されている。こうしたマークアップ言語ファイルを読み込んだ解析部６１では、ファイルの内容を解析すると共にファイル中に指定された画像ファイルをファイルの入力元であるデジタルテレビ１２などから入力部３０を介して取得して印刷する文書をＲＧＢデータとして画像格納領域６２に出力する。なお、色変換部６３や２値化部６４は、通常のインクジェットプリンタに印刷用データを送信するためのプリンタドライバが行なう処理と同様な処理を行なうものであり、イメージバッファ６５，印刷実行部６６は、通常のインクジェットプリンタが備える構成と同様の構成である。これら各部については、その処理や動作は本発明の中核をなさないから、詳細な説明は省略する。
【００２１】
次に、こうして構成された実施例のプリンタ２０の動作、特に、入力された画像データの画像調整に関する処理について説明する。図３は、画像データが入力されたときに入力部３０の信号処理部３４により実行される画像調整処理の一例を示すフローチャートである。画像調整処理では、まず、入力された画像データの入力デバイスの種別を判定する（ステップＳ１００）。実施例では、入力インタフェース３２から入力デバイスの種別を識別するデバイス識別信号を受信して入力デバイスの種別を判定するものとした。入力インタフェース３２では、種々の方法で入力デバイスの種別を認識することができる。例えば、ビデオ入力端子からビデオ信号が入力された場合には入力デバイスの種別はアナログテレビ１８であると認識したり、メモリカードスロットから画像データが入力された場合には入力デバイスの種別はストレージ１６であると認識したりする。また、ＩＥＥＥ１３９４端子やＵＳＢポートなどの入力ポートを介して接続される入力デバイス（例えば、スキャナ１０やデジタルテレビ１２，デジタルカメラ１４など）と通信を確立する際などに入力デバイスの種別に関する情報（例えば、ＵＳＢディスクリプタなど）を取得して入力デバイスの種別を認識することもできる。
【００２２】
こうして画像データの入力デバイスの種別を判定すると、入力デバイスの種別に応じた画像処理を画像処理部３８により行なう。まず、入力デバイスの種別をスキャナ１０と判定したときの画像処理について説明する。入力デバイスの種別がスキャナ１０であると判定されたときには、画像データ生成時に用いられた色空間は色空間の国際標準規格であるｓＲＧＢ（ｓｔａｎｄａｒｄ  ＲＧＢ）であると判断し、ｓＲＧＢをプリンタ２０用の色空間に変換する色空間変換処理を画像データに対して行なう（ステップＳ１１０）。実施例では、変換元の色空間ごとにプリンタ２０用の色空間に変換するための演算式を予め定めて記憶しておくものとした。したがって、入力デバイスの種別がスキャナ１０であると判定されたときには、ｓＲＧＢ用の演算式を用いて色空間変換処理を行なうことになる。
【００２３】
そして、黒色の文字や罫線などを強調する黒文字強調処理を行なって（ステップＳ１２０）、画像調整処理を終了する。黒文字強調処理は、実施例では、画像データを構成する画素のうち予め定められた黒色領域に含まれる色の画素を所定の黒色（例えば、Ｒ＝０，Ｇ＝０，Ｂ＝０）の画素に変換するなどして強調するものとした。図４は、黒文字強調処理における黒色領域の概念を示す説明図である。図示するように、ＲＧＢ色空間おいて「Ｒ＝０，Ｇ＝０，Ｂ＝０」を頂点とする空間を黒色領域とし、この黒色領域に含まれる画素を所定の黒色（より濃い黒色）に変換することにより黒色の文字や罫線などを強調する。なお、黒文字強調処理の処理内容は、黒色の文字や罫線などを強調する画像処理であれば、その他の種々の処理内容を採用してもよい。
【００２４】
次に、入力デバイスの種別をアナログテレビ１８と判定したときの画像処理について説明する。入力デバイスの種別がアナログテレビ１８であると判定されたときには、画像データ生成時に用いられた色空間は一般的なアナログテレビの色空間であるＮＴＳＣであると判断し、ＮＴＳＣをプリンタ２０用の色空間に変換する色空間変換処理を画像データに対して行なう（ステップＳ１３０）。即ち、前述した変換元の色空間ごとに記憶された演算式のうちＮＴＳＣ用の演算式を用いて色空間変換処理を行なう。
【００２５】
そして、インタレース方式の画像データをノンインタレース方式の画像データに変換するインタレース／プログレッシブ変換処理を行なって（ステップＳ１４０）、画像調整処理を終了する。図５は、インタレース／プログレッシブ変換処理の概念を示す説明図である。アナログテレビ１８などから入力されるインタレース方式のビデオ信号（ＮＴＳＣ信号）は１フレームを奇数フィールドと偶数フィールドの２回に分けて表示する（図５（ａ））。したがって、奇数フィールドの画像と偶数フィールドの画像を単純に合成した画像は、時点の異なる二つの画像を合成したものとなり（図５（ｂ））、ジャギーが生じるなど完全な静止画像とはならないことがある。そこで、実施例では、インタレース／プログレッシブ変換処理として、合成した画像の各画素について上下のラインからフィルタリングなどを用いて補間する処理を施すものとした（図５（ｃ））。
【００２６】
次に、入力デバイスの種別をデジタルテレビ１２やデジタルカメラ１４，ストレージ１６のいずれかと判定したときの画像処理について説明する。入力デバイスの種別がデジタルテレビ１２やデジタルカメラ１４，ストレージ１６のいずれかであるときとは、画像データとして所定の形式（例えば、ＪＰＥＧ形式など）の画像ファイルが入力されるケースである。このケースでは、まず、入力された画像ファイルにプリンタなどの画像出力装置を制御する画像処理制御データが含まれるか否かを判定する（ステップＳ１５０）。図６は、画像処理制御データを含む画像ファイルのファイル構造の一例を示す説明図である。図示するように、画像処理制御データを含む画像ファイルは、画像処理制御データなどの付加情報を記憶する付加情報記憶領域と、画像データ自体を記憶する画像データ記憶領域とにより構成されている。なお、このような画像ファイルの形式としては、例えば、日本電子工業振興協会により規格化されたデジタルカメラ用画像フォーマットである「Ｅｘｉｆ」を挙げることができる。図７は、画像処理制御データのデータ構造の一例を示す説明図である。画像処理制御データとしては、図示するように、「ガンマ値」や「色空間」，「コントラスト」，「明るさ」，「カラーバランス」，「彩度」，「シャープネス」，「ノイズ除去」などのデータ項目を挙げることができる。
【００２７】
そして、画像ファイルに画像処理制御データが含まれているときには、画像処理制御データの一つとして記憶されている「色空間」を画像データ生成時に用いられた色空間と判断し、この色空間をプリンタ２０用の色空間に変換する色空間変換処理を画像データに対して行なうと共に画像処理制御データのその他のデータ項目の設定内容に基づいて画像処理を行ない（ステップＳ１６０，Ｓ１７０）、画像調整処理を終了する。画像処理制御データの設定内容に基づく画像処理としては、例えば、「シャープネス」に「強く」が設定されていた場合に所定の強さで画素間のコントラストを高める処理や、「ノイズ除去」に「ＯＮ」が設定されていた場合に画像のノイズを除去する処理などを挙げることができる。
【００２８】
一方、画像ファイルに画像処理制御データが含まれていないときには、画像データ生成時に用いられた色空間をｓＲＧＢと判断し、ｓＲＧＢをプリンタ２０用の色空間に変換する色空間変換処理を画像データに対して行ない（ステップＳ１８０）、画像調整処理を終了する。こうして、画像調整処理の実行が完了すると、入力デバイスの種別に応じた画像処理が行なわれた画像データを信号処理部３４により印刷部６０に割り振って、印刷部６０により印刷が実行されることになる。
【００２９】
以上説明した実施例のプリンタ２０によれば、入力された画像データの入力デバイスの種別を判定すると共に判定された入力デバイスの種別に応じて色空間の変換処理などの画像処理を画像データに対して行なうことができる。この結果、種々のデバイスから入力される画像データを高品質で印刷することができる。また、入力デバイスの種別がＪＰＥＧ形式などの画像ファイルを入力するデバイスであるときには、画像ファイルに含まれる画像処理制御データの内容に基づいて画像処理を行なうから、画像データ毎に詳細に設定された画像処理を行なうこともできる。
【００３０】
ここで、実施例のプリンタ２０では、入力部３０が画像データ受付手段に相当し、ステップＳ１００の処理を実行する信号処理部３４がデバイス種別判定手段に相当し、ステップＳ１１０〜Ｓ１８０の処理を実行する信号処理部３４および画像処理部３８が画像処理手段に相当し、印刷部６０が印刷実行手段に相当する。
【００３１】
実施例のプリンタ２０では、画像処理部３８により行なわれる画像処理として、色空間変換処理や黒文字強調処理，インタレース／プログレッシブ変換処理などを例示したが、入力デバイスの種別に応じて行なうことが適切な画像処理であれば、その他の種々の画像処理を行なうものとしてもよい。
【００３２】
実施例のプリンタ２０では、接続される入力デバイスとして、スキャナ１０やデジタルテレビ１２，デジタルカメラ１４，ストレージ１６，アナログテレビ１８などを例示したが、画像データを入力可能なデバイスであればその他のデバイスであってもよいのは勿論である。また、スキャナ１０やデジタルテレビ１２，デジタルカメラ１４，ストレージ１６，アナログテレビ１８のすべての入力デバイスを接続可能なプリンタでなくてもよく、これらのうち一部の入力デバイスのみを接続可能なプリンタであっても構わない。
【００３３】
実施例のプリンタ２０では、マークアップ言語ファイルの記述言語としてＸＨＴＭＬを例示したが、ＳＧＭＬやＨＴＭＬやＸＭＬなどのその他のマークアップ言語で記述されたファイルであっても構わない。
【００３４】
実施例では、インクジェット方式のプリンタ２０の形態として説明したが、電子写真方式のレーザプリンタなどの種々のプリンタに適用することができる。また、印刷方法の形態とするものとしても構わない。
【００３５】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】プリンタ２０の構成の概略を示す構成図。
【図２】マークアップ言語ファイルの一例を示す説明図。
【図３】画像調整処理の一例を示すフローチャート。
【図４】黒文字強調処理における黒色領域の概念を示す説明図。
【図５】インタレース／プログレッシブ変換処理の概念を示す説明図。
【図６】画像処理制御データを含むファイルの構造の一例を示す説明図。
【図７】画像処理制御データのデータ構造の一例を示す説明図。
【符号の説明】
１０  スキャナ、１２  デジタルテレビ、１４  デジタルカメラ、１６  ストレージ、１８  アナログテレビ、２０  プリンタ、３０  入力部、３２  入力インタフェース、３３  ビデオキャプチャ部、３４  信号処理部、３８  画像処理部、６０  印刷部、６１  解析部、６２  画像格納領域、６３  色変換部、６４
２値化部、６５  イメージバッファ、６６  印刷実行部。
【図１】
2004306323.tif 000003
【図２】
2004306323.tif 000004
【図３】
2004306323.tif 000005
【図４】
2004306323.tif 000006
【図５】
2004306323.tif 000007
【図６】
2004306323.tif 000008
【図７】
2004306323.tif 000009